(57)【要約】　　　（修正有）【課題】引っ張り力に対して強度のあるループを形成する方法、及びこの方法に用いられる固定金具を提供する。【解決手段】本発明は、ワイヤ２の挿通が可能な２つの短尺な管体部分３ａ，３ｂが並列して一体形成された金属製の固定金具３を用い、ワイヤ２の端末部２ｃを固定金具３の一方の管体部分３ａ内に挿入させて該管体部分３ａの出口方向に引き出し、この引き出したワイヤ２の端末部２ｃをターンさせてその先端部分２ａを他方の管体部分３ｂ内に挿入させ又は挿通させることにより、ワイヤ２の端末部２ｃによるループ４を形成し、続いて、前記他方の管体部分２ｂを工具５０でかしめて前記先端部分２ａの抜け止めを図り、引っ張り力に対して強度のあるループ４を形成するワイヤ類の端末部によるループの形成方法である。【選択図】　　図１３
2004092869.tif 000002
【特許請求の範囲】
【請求項１】
ワイヤ類又は金属線などからなるワイヤ類の挿通が可能な２つの短尺な管体部分が並列して形成された金属製の固定金具を用い、ワイヤ類の端末部を該固定金具の一方の管体部分内に挿入させて該管体部分の出口方向に引き出し、この引き出したワイヤ類の端末部をターンさせてその先端部分を他方の管体部分内に挿入させ又は挿通させることにより、ワイヤ類の端末部によるループを形成し、続いて、前記両方の管体部分のうち少なくともいずれか一方を工具でかしめて前記先端部分の抜け止めを実現したループを形成することを特徴とするワイヤ類の端末部によるループの形成方法。
【請求項２】
前記管体部分を工具でかしめてワイヤ類の抜け止めを図る工程において、前記両方の管体部分の側壁を工具でかしめてワイヤ類を２カ所で固定させるようにした請求項１記載のワイヤ類の端末部によるループの形成方法。
【請求項３】
請求項１又は２に記載のワイヤ類の端末部によるループの形成方法に用いられる固定金具であって、ワイヤ類又は金属線などからなるワイヤ類の挿通が可能な２つの短尺な管体部分が並列して位置しており、各管体部分の側壁を工具で挟んで加圧変形することが可能な金属材料にて形成されていることを特徴とする固定金具。
【請求項４】
断面視において円形状又は略円形状を有する１つの管体の長手方向に沿って対向する中央壁面部分を近接又は接当させた略８字形状に一体成形することにより、並列する２つの管体部分が形成されている請求項３に記載の固定金具。
【請求項５】
断面視において各管体部分の近接する部分どうしが、狭幅の板面部分を介して略アレイ字状に一体成形することによって、並列する２つの管体部分が形成されている請求項３に記載の固定金具。
【請求項６】
請求項３ないし５のいずれか１項に記載の固定金具を用い、この固定金具におけるワイヤ類の挿通が可能な２つの短尺な管体部分が並列して位置している当該管体部分の一方にワイヤ類における一方の先端部分を挿通し、その側壁を加圧変形させて当該先端部分を強固に固定してなることを特徴とする吊下げ具。
【発明の詳細な説明】
【０００１】
【発明の属する技術分野】
本発明は、ワイヤ類を用いて、例えば、展張材等を緊張させて支持したり、天井埋込式の蛍光灯、吊下式黒板、吊下式掲示板、たれ幕、スクリーン、室内の各種装飾品、看板、配管等の吊下げ対象物（各種物品）を吊り下げたり支持するときに、これらを掛けるためのループをワイヤ類の端末部又はその途中部分で形成するワイヤ類の端末部によるループの形成方法、及びこの方法に用いられる固定金具更にこの固定金具を用いた吊下げ具に関する。
【０００２】
【従来の技術】
ワイヤ類の端末部でループを形成する技術として、ワイヤ類の端末部をターンさせてその先端部分とその近接する途中部分とを金属製のＣリングで抱き込んでかしめる技術、及びワイヤ類の端末部をターンさせてその先端部分とその近接する途中部分とを金属細線で幾重にも巻き付けて固定する技術などが古くから知られている。
【０００３】
【発明が解決しようとする課題】
しかしながら、これらの従来技術は、ワイヤ類の先端部分と途中部分の２箇所を同時にＣリングで抱き込んでかしめたり、或いは金属細線で巻き付けるために、Ｃリングや金属細線とワイヤ類との間に隙間が生じたり、ワイヤ類の重なり合っている面どうしが滑り易くなったりして、ワイヤ類に引っ張り荷重が加わって緊張したときにワイヤ類の先端部分がＣリングや巻き付けた金属細線から抜け外れることがあった。
【０００４】
また、ワイヤ類を緊張させた状態でこれらの作業を行うのは時間と手間を要し、結果としてワイヤ類の緊張を緩ませてループを形成してしまうこともあり、前記吊下げ対象物（各種物品）を、正確な位置に吊り下げたり或いは確実に支持したりできない場合があった。
【０００５】
本発明者は、これらのワイヤ類の端末部でループを形成する従来技術には、上述した課題を有することから、これらの課題を解消するために、新技術によるループの形成方法について鋭意・検討し、本発明に係るワイヤ類の端末部によるループの形成方法及びこの方法に用いられる固定金具の発明を完成するに至ったものである。
【０００６】
本発明においては、例えワイヤ類に強い引っ張り力が加わってもワイヤ類の滑りや抜け外れがなく、ワイヤ類を傷めたり曲げたりすることがないので、ワイヤ類を長期間にわたって使用できるワイヤ類の先端部分とワイヤ類の途中部分とを固定金具で確実に、しかも強固に固定できる上、ループを形成する作業、更にはループを形成した締結吊下げ具を、容易に形成することができ、さらには、例えば、天井吊下げ式蛍光灯等の吊下げ対象物（各種物品）を吊り下げた場合にもこれらの吊下げ対象物（各種物品）に簡単に装着できるワイヤ類の端末部によるループの形成方法を提供することを目的とする。
【０００７】
また、本発明においては、このワイヤ類の端末部によるループの形成方法において好適に用いられ、しかも取扱性が至極良好で作業性の優れる上、製造コストが廉価な固定金具を提供することを目的とする。
【０００８】
更に、本発明においては、２つの短尺な管体部分のうち一方の管体部分にワイヤ類における一方の先端部分を挿通し、その側壁を強力な締め付け具（装置）で加圧変形させて前記ワイヤ類の先端部分を強固に固定しているので、オーリングを止める必要があるような部位でも当該ワイヤ類における他方の先端部分から他方の管体部分に通して引き出すだけで工具等を使うことなくループを形成して確実に吊下げ対象物（各種物品）を吊り下げたり支持して固定できるうえ、作業性が極めて良好であり、しかも吊下げ対象物（各種物品）を強固に、安全且つ安定した状態で吊り下げて支持できるのであり、又、吊下げ対象物（各種物品）の大きさに拘わらず、ワイヤ類を引き出しつつ前記ループを締め付けることにより当該吊下げ対象物（各種物品）を遊びが無い状態まで締結して吊持できるのであり、更に、両方の管体部分のうち一方の管体部分にワイヤ類の先端部分を取り付けているので、管体部分の紛失が無く、現場での取扱性が至極向上するのであり、加えて、前述のように、ワイヤ類でループを形成し、当該ワイヤ類を引き出してその適当な部位における前記両方の管体部分のうち少なくともいずれか一方を工具等で加圧変形するとその部位で吊下げ対象物（各種物品）を固定できる結果、無段階でワイヤ類の長さ調整ができる、極めて有用な吊下げ具を提供することを目的とする。
【０００９】
【課題を解決するための手段】
本発明に係るワイヤ類の端末部によるループの形成方法は、前記目的を達成するために、ワイヤ類又は金属線などからなるワイヤ類の挿通が可能な２つの短尺な管体部分が並列して形成された金属製の固定金具を用い、ワイヤ類の端末部を該固定金具の一方の管体部分内に挿入させて該管体部分の出口方向に引き出し、この引き出したワイヤ類の端末部をターンさせてその先端部分を他方の管体部分内に挿入させ又は挿通させることにより、ワイヤ類の端末部によるループを形成し、続いて、前記両方の管体部分のうち少なくともいずれか一方を工具でかしめて前記先端部分の抜け止めを実現したループを形成することを特徴とする。
【００１０】
本発明においては、このように構成することにより、ワイヤ類の端末部にループを形成して、その先端部分の抜け止めを図ったり、強い引っ張り力に対しても緩みや抜け外れがなく、吊下げ対象物（各種物品）を、確実に吊り下げたり、或いは支持できるのである。
【００１１】
このような特徴を有する本発明に係るワイヤ類の端末部によるループの形成方法（以下、本発明方法と略称する。）は、その基本的な機能として、以下のものが挙げられる。
【００１２】
即ち、本発明方法は、ワイヤ類の端末部でループを形成するときに、両方の管体部分のうち少なくともいずれか一方を工具でかしめて前記先端部分の抜け止めを実現する機能を有し、これによって、ワイヤ類は所望の個所に吊下げ対象物（各種物品）を、確実に吊り下げたり或いは支持できるのである。
【００１３】
ところで、本発明方法において、前述のように、ワイヤ類の端末部によるループを形成し、続いて、前記両方の管体部分のうち少なくともいずれか一方を工具でかしめるにあたり、いずれの管体部分をかしめるかは吊下げ対象物（各種物品）を、確実にしかも安全に吊り下げたり或いは支持できるように配慮するのが当然であり、一般に、ワイヤ類の先端部分を挿通した方側の管体部分を工具でかしめるのが望ましい。
【００１４】
勿論、本発明方法においては、前記管体部分を工具でかしめてワイヤ類の抜け止めを図る工程において、前記両方の管体部分の側壁を工具でかしめてワイヤ類を２カ所で固定させるようにしても良いのである。
【００１５】
即ち、このようにして得られた締結吊下げ具は、固定金具の片方の管体部分とワイヤの先端部分とが圧着されているが、もう片方の管体部分はワイヤに沿って移動自在な状態である。勿論このままの状態でも良いが、本発明では、前記片方の管体部分を工具でかしめてワイヤ類の抜け止めを図る工程に加えて、前記もう片方の管体部分の側壁も工具でかしめてワイヤ類の途中部分を該管体部分に固定させることによって、２つの管体部分とワイヤとを圧着させて、ループが一定の大きさになるように構成しても良いのである。
【００１６】
このように構成すると、ワイヤ類における端末部の先端部分とワイヤ類の途中部分とを専用の固定金具を用いて固定することになり、この作用により、ワイヤ類は所望の個所に吊下げ対象物（各種物品）を、確実にしかも安全且つ安定な状態で吊り下げたり或いは支持できる機能を有するのである。
【００１７】
この機能は、ワイヤ類の一方の端末部でループを形成する過程で、或いはループを形成して、ループの部分を所望の連結箇所に掛け、更に、ワイヤ類の端末部の先端部分とワイヤ類の途中部分とを固定金具で連結して、引っ張り力に一層強い締結吊下げ具にすることにより、例えば、展張材等を緊張させて支持したり、天井埋込式の蛍光灯、吊下式黒板、吊下式掲示板、たれ幕、スクリーン、室内の各種装飾品、看板、配管等の吊下げ対象物（各種物品）を、確実にしかも安全且つ安定な状態で吊下げたり或いは確実に支持することを実現し得るのである。
【００１８】
本発明方法において用いられるワイヤ類としては、金属細線又は樹脂細線を縒り合わせたワイヤ、繊維糸を縒り合わせた紐、ロープの他、１本の金属線、樹脂線、これらを組み合わせたワイヤ或いは各種樹脂、特に合成樹脂で被覆された金属製のワイヤ等が挙げられる。
【００１９】
このように本発明方法では、ワイヤだけでなく、ワイヤ類を含めた線材全般に適用され、本発明方法ではこれらを含めてワイヤ類という。ところで、本発明方法では、記載を簡単にして読み易くするために、これら線材全般を称する場合はワイヤ類、前記ワイヤだけに限定する場合にはワイヤというように、「類」という語句を省いて記載する。
【００２０】
又、本発明において、好適に用いられる固定金具は、ワイヤ類の挿通が可能な２つの短尺な管体部分が並列して形成された金属製のものであり、これは一体形成されていても良く、或いは別体のものを溶接等の接合手段で並列に形成しても良く、また、管体部分は同径のものでも異径のものでも良く、用途に応じて適宜選択すれば良いのである。
【００２１】
前記固定金具を形成している金属材料としては特に限定されるものではないが、特に、工具を用いて管体部分をかしめることができる比較的軟質の材料、例えば、アルミニウム、アルミニウム合金、ニッケル、ニッケル合金などが望ましい。
【００２２】
本発明方法においては、固定金具の一方の管体部分内にワイヤ類の端末部を挿通させて、ワイヤ類の端末部をこの管体部分の出口から引き出すことにより始まる。
【００２３】
このようにして引き出されたワイヤ類の端末部は、ループを形成する部分になり、大きいループを形成する場合には、この端末部を長く引き出せば良い。ワイヤ類の端末部を引き出す作業は、固定金具をワイヤ類に沿って移動させることでもある。
【００２４】
このように構成すると、固定金具はワイヤ類に沿って移動自在な状態でその途中部分に片支持された状態になる。そして、後述するように、この部分を利用してループが形成される。
【００２５】
即ち、ワイヤ類の端末部により後述するループを形成しながらワイヤ類の所望個所を固定するときに、固定金具を取り出すといった面倒な作業が不要になり、固定金具を落下させることもない。
【００２６】
続いて、前記管体部分の出口から引き出したワイヤ類における端末部の先端部分を手で持って、該先端部分を隣り合う他方の管体部分内の長さいっぱいまで挿入し、又は、所望により、この先端部分を他方の管体部分の出口から所望長さまで挿通、引き出せば良いのである。
【００２７】
このようにして、ワイヤ類の端末部によるループを形成し、続いて、管体部分をペンチ又はプライヤ等の工具を用いて、ワイヤ類を挿通した状態で、強く挟んでかしめる。
【００２８】
このように構成すると、かしめられた管体部分はワイヤ類を強く挟んだ状態で、ワイヤ類とともに平坦になって、強くワイヤ類を圧着する。特に、ワイヤ類の場合には、かしめられた管体部分の内壁は平坦近くまで変形したワイヤ類の外周面の凹凸に食い付いて、この管体部分で強く挟んだワイヤ類の先端部分を圧着させることができる。この結果、ワイヤ類に強い引っ張り方向の力やループが広がる方向の力が加わっても、ワイヤと管体部分の内壁との間に滑りは全く生じない、高強度でしかも安全性の極めて高いワイヤ類の締結吊下げ具になる。
【００２９】
なお、他方の管体部分の出口から引き出されたワイヤ類における端末部の先端部分が邪魔になる場合には、当該先端部分を前記管体部分の出口辺りで切断したり、引き戻せば良いのである。
【００３０】
本発明方法によれば、ワイヤ類の両端側のいずれ側にもループを形成できる。例えば、天井埋込式の蛍光灯を天井裏の上方からワイヤ類で吊り下げる場合には、ワイヤ類の上部側の端末部で形成したループによってワイヤ類を天井裏のフックやパイプなどから吊り下げ、この吊り下げたワイヤ類の下部側の端末部で形成したループによって蛍光灯を吊り下げたり、ワイヤ類のクランプ等を用いて吊持すれば良いのである。勿論、逆に蛍光灯にワイヤ類を掛けた後で、当該ワイヤ類を天井裏に吊り下げたり、支持しても良いのである。
【００３１】
この他にも、本発明方法においては、例えば、展張材等を緊張させて支持したり、吊下式黒板、吊下式掲示板、たれ幕、スクリーン、室内の各種装飾品、看板、配管等の吊下げ対象物（各種物品）を吊下げたり、支持するときにも利用される。
【００３２】
このように様々な利点を持つ本発明方法の実施には固定金具が必要であり、この固定金具についても特徴があることから、この固定金具にも権利範囲が及ぶようにした。
【００３３】
即ち、本発明の固定金具においては、本発明のワイヤ類の端末部によるループの形成方法に用いられる固定金具であって、ワイヤ類又は金属線などからなるワイヤ類の挿通が可能な２つの短尺な管体部分が並列して位置しており、各管体部分の側壁を工具で挟んで加圧変形することが可能な金属材料にて一体形成されていることを特徴とするものである。
【００３４】
本発明の固定金具は、並列する２つの管体部分の互いに近接する方向の側壁どうしが一体形成された短尺ものでも良く、或いは別体のものを溶接等の接合手段で並列に形成された短尺ものでも良く、また、管体部分は同径でも異径でも良く、用途に応じて適宜選択すれば良いのである。各管体部分の内径は、ワイヤ類の端末部の挿入操作がし易いように、ワイヤ類の端末部の外径よりも若干大きくしてある。
【００３５】
管体部分は、独立（別体）した２つの管体を溶接等の接合手段で並列に形成された短尺ものでも良いが、並列する２つの管体部分となって一体形成されたものが製造コストや耐久性更に強度等の観点から望ましい。
【００３６】
本発明の固定金具の好適な例としては、押し出し成形した金属製の長尺体を所望の長さに切断し、これを折り曲げ成形して得たものが挙げられる。このようにして固定金具全体を一体成形すると、製造コストが廉価で極めて強度の高い丈夫な固定金具が得られる。
【００３７】
このように２つの管体部分を並列させると、ループに引っ張り荷重や吊り下げ荷重が加わっても、ワイヤ類は管体部分の近傍で折れ曲がったりしないので、引っ張り荷重に対するワイヤ類の強度及び耐久性は至極高いものになる。
【００３８】
本発明の固定金具は、金属材料で出来ており、このため管体部分は、かしめ易く、かしめたときに平たく潰れたワイヤ類の凹凸面に沿って食い付き、ワイヤ類の引っ張り荷重に対する強度が一層高くなる。この金属材料の好適な例としては前述のものが挙げられる。
【００３９】
本発明の固定金具において、各管体部分は、断面視において、円形状或いは略円形状のものを最適とするが、三角形状のものや多角形状のもの更に楕円形状等、特に限定されるものではない。円形状或いは略円形状の管体部分を用いた場合には、１つの管体の長手方向に沿って対向する中央壁面部分を近接又は接当させた略８字形状に一体成形することにより、並列する２つの管体部分が形成されているものが望ましい。
【００４０】
又、本発明の固定金具には、例えば、断面視において楕円形状を有する１つの管体の長手方向に沿って対向する中央壁面部分を近接又は接当させた略８字形状に一体成形させて、並列する２つの管体部分が形成されたものを挙げることができる。
【００４１】
本発明の固定金具において、対向する中央壁面部分が近接した形状とは、並列する管体部分内の空間の一部が連続して、円形状等の前記形状を形成している壁面の対向した一部分が互いに近接する方向に折曲されて、８の字の交点が若干浮いて離れたダルマのような形状を指す。この形状は押出し成形によって出来るもので、このような形状に構成されると、管体部分をかしめたときに、この若干浮いて離れた部分が互いに重なり合って管体部分が大きく変形して、ワイヤ類を一層強く圧着できるのである。
【００４２】
本発明の固定金具において、対向する中央壁面部分が接当した形状とは、円形状等の前記形状を形成している壁面の対向した一部分が互いに接当するまで折曲されて、並列する管体部分内の空間が互いに独立した形状を指す。この形状は押出し成形と加圧成形によって出来るもので、押出し成形だけで出来る前記形状よりも若干製造コストが高くなるが、このような形状のものであっても良いのである。
【００４３】
また、本発明の固定金具には、断面視において各管体部分の近接する側壁部分どうしが、狭幅の板面部分を介して略アレイ字状に一体成形されて、並列する２つの管体部分が形成されているものも挙げることができる。
【００４４】
このように構成すると、狭幅の板面部分の幅次第で、並列する２つの管体部分の間隔を変えることができる結果、好みの使い易い固定金具に形成することができる。
【００４５】
更に、本発明の固定金具は、これらの他にも、例えば、断面視において略Ｓ字状を有するものであっても良いのである。
【００４６】
これらの形状を有する本発明の固定金具は、各管体部分の長手方向に沿った一部箇所が近接又は接当しているので、ワイヤ類を挟んでかしめた後でも、平坦になっている管体部分の継ぎ目に平形ドライバの先端を押し当てて管体部分を開き、ワイヤ類から固定金具を取り外すことができる。このため、固定金具に取付不良が生じたり、固定金具の取付位置やかしめるタイミングを間違ってワイヤ類に緩みが生じていたり、長期間の経過によりワイヤ類に伸びが生じたときには、固定金具を取り外して、新しい固定金具に付け替えることができるようになる。
【００４７】
本発明に係る吊下げ具においては、前記目的を達成するために、前述の本発明に係る固定金具を用い、この固定金具におけるワイヤ類の挿通が可能な２つの短尺な管体部分が並列して位置している当該管体部分の一方にワイヤ類における一方の先端部分を挿通し、その側壁を加圧変形させて当該先端部分を強固に固定してなるものであることを特徴とするものである。
【００４８】
本発明の吊下げ具において、管体部分の一方にワイヤ類における一方の先端部分を挿通し、その側壁を加圧変形させて前記ワイヤ類の先端部分を強固に固定するにあたり、この加圧変形させる手段としてはプレス機やプレス装置等の強力な加圧装置更にペンチやプライヤ等の工具類など特に限定されるものではない。しかしながら、プレス機やプレス装置等の強力な加圧装置がワイヤ類の先端部分を管体部分の一方に強固に挟圧、固定し得るので、仮に大きな引っ張り力や衝撃的な力が掛かってもワイヤ類が管体部分から抜け落ちることがない結果、安全性が著しく向上するので好ましい。
【００４９】
このように、本発明の吊下げ具においては、２つの短尺な管体部分のうち一方の管体部分にワイヤ類における一方の先端部分を挿通し、その側壁を加圧変形させて前記ワイヤ類の先端部分を強固に固定しているので、オーリングを止める必要があるような部位でも当該ワイヤ類における他方の先端部分から他方の管体部分に挿通して引き出すだけで工具等を使うことなくループを形成して確実に吊下げ対象物（各種物品）を吊り下げたり支持して固定できるうえ、作業性が極めて良好になるのである。
【００５０】
又、本発明の吊下げ具においては、２つの短尺な管体部分のうち一方の管体部分にワイヤ類における一方の先端部分を挿通し、その側壁を加圧変形させて前記ワイヤ類の先端部分を強固に固定しているので、当該ワイヤ類における他方の先端部分から他方の管体部分に挿通して引き出すだけで工具等を使うことなくループを形成して吊下げ対象物（各種物品）を強固にしかも安全且つ安定した状態で吊り下げて支持できるのであり、又、吊下げ対象物（各種物品）の大きさに拘わらず、ワイヤ類を引き出しつつ前記ループを締め付けることにより当該吊下げ対象物（各種物品）を遊びが無い状態まで締結して吊持できるのである。
【００５１】
更に、本発明の吊下げ具においては、両方の管体部分のうち一方の管体部分にワイヤ類の先端部分を取り付けているので、管体部分の紛失が無く、現場での取扱性が至極向上するのであり、加えて、前述のように、ワイヤ類でループを形成し、当該ワイヤ類を引き出してその適当な部位における前記管体部分の他方を工具等で加圧変形するとその部位で吊下げ対象物（各種物品）を固定できる結果、無段階でワイヤ類の長さ調整ができ、極めて有用なのである。
【００５２】
【発明の実施の形態】
本発明の目的及び構成は以上の通りであり、次いで、本発明に係るワイヤ類の端末部によるループの形成方法、及びこの方法に用いられる固定金具の具体的な実施の形態を添付図面に基づき詳述する。
【００５３】
図１は、本発明に係るワイヤ類の端末部によるループの形成方法により得られた締結吊下げ具を示す正面図であり、図２の（ａ）図はこのワイヤ類の端末部によるループの形成方法において用いられる固定金具を示す平面図であり、図２の（ｂ）図はこの固定金具の正面図であり、図２の（ｃ）図は前記同（ａ）図におけるイ−イ断面図であり、図２の（ｄ）図は前記同（ａ）図におけるロ−ロ断面図である。
【００５４】
図１に示す本発明に係るワイヤ類の端末部によるループの形成方法（以下、本発明方法と略称する。）に好適に用いられる締結吊下げ具１であり、この実施形態の締結吊下げ具１として用いられるワイヤ類には、金属細線を縒り合わせたワイヤ２が採用されている。
【００５５】
この締結吊下げ具１の両端側には、前記ワイヤ２の両端側の端末部２ｃ，２ｃをターンさせて、当該端末部２ｃ，２ｃの先端部分２ａ，２ａを、専用の固定金具３を用いて、前記ワイヤ２の途中部分２ｂ，２ｂに連結することによりループ４，４が形成されている。
【００５６】
ここに用いられている固定金具３は、図２の各図に示すように、前記ワイヤ２の挿通が可能な２つの短尺な管体部分３ａ，３ｂが並列して一体形成されたアルミニウム、アルミニウム合金、ニッケル、ニッケル合金等の何れかの金属材料で形成されており、各管体部分３ａ，３ｂは同じ大きさを有し、各管体部分３ａ，３ｂの内壁で形成されている開孔３ｃ、３ｄはワイヤ２のガイド孔になり、この２つの開孔３ｃ，３ｄは、互いに近接している箇所が連通した、断面視略８字形状を有している。
【００５７】
次に、１本のワイヤ２と前記固定金具３を用いて、ワイヤ２の上部側にループ４を形成する方法を、順を追って説明する。図３の（ａ）図は、ワイヤ２と前記固定金具３を用いてループ４を形成する工程の最初の段階を示す一部に断面部分を含む正面図であり、図３の（ｂ）図は、同じく次の工程を示す一部に断面部分を含む正面図である。
【００５８】
前記ワイヤ２の一端側にループ４を形成する場合には、先ず、図３の（ａ）図から図３の（ｂ）図に示すように、固定金具３とワイヤ２の端末部２ｃを手で持って、固定金具３の一方の管体部分３ａの開孔３ｃ内に当該端末部２ｃの先端部分２ａから挿通させて、この先端部分２ａを前記管体部分３ａの出口から引き出す。
【００５９】
次に、図４及び図５に示すように、前記端末部２ｃの先端部分２ａを大きくターンさせて、この先端部分２ｃを隣り合う他方の管体部分３ｂの開孔３ｄ内に挿通させて、ワイヤ２の端末部２ｃによるループ４を形成し、この先端部分２ａを当該開孔３ｄの出口から引き出す。
【００６０】
そして、更に、図６に示すように、他方の管体部分３ｂの側壁をペンチやプライヤなどの工具５０で挟んで、強く力を加えることにより当該管体部分３ｂをかしめ、締結する。
【００６１】
このように構成すると、ワイヤ２の先端部分２ａは他方の管体部分３ｂによって圧着され、特に、この管体部分３ｂの内壁がワイヤ２の凹凸面に食い込んでいるため、ワイヤ２側から強い引っ張り力や、ループ４が広がる力が加わっても、ワイヤ２の先端部分２ａは前記管体部分３ｂ内から抜け外れるようなことはないのである。
【００６２】
なお、図１に示すように、この締結吊下げ具１の上下のループ４，４を他の連結部分６０，７０に掛ける場合には、上述したループ４、４を形成する過程で、ワイヤ２の端末部２ｃをこれら連結部分６０，７０に掛けることにより行なわれる。
【００６３】
そして、図７に示すように、前記管体部分３ｂの出口からワイヤ２の先端部分２ａが長く出て、これが邪魔になるようであると、この先端部分２ａを前記管体部分３ｂの出口辺りで切断するか、或いはワイヤ２を引き戻せばよいのである。
【００６４】
ところで、本発明方法において、用いられる固定金具は前記形状のものに限定されるものではなく、例えば、次のような形状等の固定金具を用いてもよいのである。
【００６５】
図８は他の実施形態による固定金具３１を示す平面図である。
この固定金具３１は、並列する管体部分３ａ，３ｂ内の空間である開孔３ｃ，３ｄが独立して、円形状或いは略円形状を形成している壁面の対向した一部分が互いに接当するまで折曲して、略８字形状を有するものである。
【００６６】
図９は更なる他の実施形態による固定金具３２を示す平面図である。
この固定金具３２は、並列する管体部分３ａ，３ｂの近接する側壁部分どうしが、狭幅の板面部分３ｅを介して略アレイ字状に一体成形されたものである。
【００６７】
次いで、本発明の固定金具を用いた、本発明に係る吊下げ具について説明する。
図１０に示すように、本発明に係る吊下げ具１０においては、例えば前記固定金具３を用い、この固定金具３におけるワイヤ２の挿通が可能な２つの短尺な管体部分３ａ、３ｂが並列して位置している当該管体部分３ａ、３ｂにおける一方の管体部分３ａにワイヤ２における一方の先端部分２ａを挿通し、その側壁を、プレス装置等の加圧装置で加圧変形させ、当該先端部分２ａを強固に挟圧、固定してなるものである。
【００６８】
そして、本発明の吊下げ具１０において、管体部分３ａ、３ｂの一方にワイヤ２における一方の先端部分２ａを挿通し、前述のように、その側壁を加圧変形させて前記ワイヤ２の先端部分２ａを強固に挟圧、固定しているから、仮に大きな引っ張り力や衝撃的な力が掛かってもワイヤ２が当該管体部分３ａから抜け落ちることがない結果、安全性が著しく向上するのである。
【００６９】
このように、本発明の吊下げ具１０においては、図１０に示すように、固定金具３における２つの短尺な管体部分３ａ、３ｂのうち一方の管体部分３ａにワイヤ２における一方の先端部分２ａを挿通し、その側壁を加圧変形させて前記ワイヤ２の先端部分２ａを強固に固定しているので、図１０〜図１３に示すように、このワイヤ２における他方の先端部分２ｄから他方の管体部分３ｂに挿通して引き出すだけで工具等を使うことなくループ４を形成し得るのであり、又、図１３に示すように、この引き出したワイヤ２の適宜部位に、例えばワイヤ２のクランプ５を用いて、吊下げ対象物（各種物品）、例えば蛍光灯の天板６を固定して確実に吊り下げたり支持できるのである。
【００７０】
即ち、このクランプ５は締結用部材７を螺進させて弾性体８を圧縮させ、この弾性体８がワイヤ押圧部材９におけるカムをワイヤ２を挟圧する方向に回動させて当該ワイヤ２を固定するものであり、又、蛍光灯の天板６は六角ナット１１を締結することによってクランプ５に固定される。
【００７１】
【発明の効果】
以上説明したように、本発明によれば、ワイヤ類の端末部をターンさせてループを形成するときに、この端末部の先端部分とワイヤ類の途中部分とを、専用の固定金具を用いることによって簡単に固定出来るなどの効果を奏するのである。
【００７２】
特に、本発明において用いられる固定金具は、ワイヤ類の挿通が可能な２つの短尺な管体部分が並列して形成された金属製のものが用いられており、この固定金具を用いてループを形成する過程において、ワイヤ類の端末部を２つの管体部分の一方に挿通させて該管体部分の出口から長く引き出し、この長く引き出したワイヤの端末部における先端部分をターンさせて隣りの管体部分に挿入する方法を採っているので、作業中に固定金具を取り出すような煩わしさを必要としない。また、作業中に固定金具を落としたりするようなこともない。このため、ループを形成する作業や締結吊下げ具を用いた連結作業が極めて容易に行なえるなどの効果を奏するのである。
【００７３】
そして、本発明においては、更に続くループを形成する過程において、ターンさせたワイヤの端末部における先端部分を、他方の管体部分の出口から引き出すことが出来る程度まで、或いはそれ以上の長さに引き出すことが出来るまで挿通し、この管体部分をかしめてワイヤの先端部分の抜け止めを図る方法を採用しているので、この管体部分の出口から出ているワイヤの先端部分を強く引き付けながらループを形成することができる。このようにして、ワイヤを他の連結部材に連結させるときに、ワイヤを緊張させながらループを形成することができるなどの効果を奏するのである。つまり、緊張させた状態の締結吊下げ具にすることができるのである。
【００７４】
そして、更に、本発明によれば、ワイヤ類を挟んだまま管体部分をかしめてワイヤの抜け止めを図っているので、かしめられた管体部分の内壁は平坦近くまで変形したワイヤの外周面の凹凸に食い付いて、ワイヤ類を強く圧着させることができるようになっている。このため、ワイヤ類に強い引っ張り方向の力やループが広がる方向の力が加わっても、ワイヤと管体部分の内壁との間に滑りは生じることは全く無く、強度の極めて高いワイヤ類の締結吊下げ具に形成することができるなどの効果を奏するのである。
【００７５】
そして、更に重要なことは、本発明に用いられる固定金具が、簡単な構造で廉価にて製造出来るので、ワイヤを用いた締結吊下げ具を作り出すコストを至極低減化させることも出来るなどの効果も有するのである。
【００７６】
特に、本発明に係る吊下げ具においては、前述の本発明に係る固定金具を用い、この固定金具におけるワイヤ類の挿通が可能な２つの短尺な管体部分が並列して位置している当該管体部分の一方にワイヤ類における一方の先端部分を挿通し、その側壁を加圧変形させて当該先端部分を強固に固定してなるものであり、このような構成を有する結果、以下に述べる格別顕著な効果を奏するのである。
【００７７】
即ち、本発明の吊下げ具においては、２つの短尺な管体部分のうち一方の管体部分にワイヤ類における一方の先端部分を挿通し、その側壁を加圧変形させて前記ワイヤ類の先端部分を強固に固定しているので、オーリングを止める必要があるような部位でも当該ワイヤ類における他方の先端部分から他方の管体部分に挿通して引き出すだけで工具等を使うことなくループを形成して確実に吊下げ対象物（各種物品）を吊り下げたり支持して固定できるうえ、その作業性が極めて良好になるなどの効果を奏するのである。
【００７８】
又、本発明の吊下げ具においては、２つの短尺な管体部分のうち一方の管体部分にワイヤ類における一方の先端部分を挿通し、その側壁を加圧変形させて前記ワイヤ類の先端部分を強固に固定しているので、当該ワイヤ類における他方の先端部分から他方の管体部分に挿通して引き出すだけで工具等を使うことなくループを形成して吊下げ対象物（各種物品）を強固にしかも安全且つ安定した状態で吊り下げて支持できるのであり、又、吊下げ対象物（各種物品）の大きさに拘わらず、ワイヤ類を引き出しつつ前記ループを締め付けることにより当該吊下げ対象物（各種物品）を遊びが無い状態まで締結して吊持できるなどの効果を奏するのである。
【００７９】
更に、本発明の吊下げ具においては、固定金具における両方の管体部分のうち一方の管体部分にワイヤ類の先端部分を取り付けているので、当該固定金具の紛失が無く、現場での取扱性が至極向上するのであり、しかも、前述のように、ワイヤ類でループを形成し、当該ワイヤ類を引き出してその適当な部位における前記管体部分の他方を工具等で加圧変形するとその部位で吊下げ対象物（各種物品）を固定できる結果、無段階でワイヤ類の長さ調整ができ、極めて有用であるなどの効果を奏するのである。
【図面の簡単な説明】
【図１】図１は、本発明に係るワイヤ類の端末部によるループの形成方法により得られた締結吊下げ具を示す正面図である。
【図２】図２において（ａ）図は、ワイヤ類の端末部によるループの形成方法において用いられる固定金具を示す平面図である。
図２において（ｂ）図は、その固定金具の正面図である。
図２において（ｃ）図は、同（ａ）図におけるイ−イ断面図である。
図２において（ｄ）図は、同（ａ）図におけるロ−ロ断面図である。
【図３】図３において（ａ）図は、ワイヤと前記固定金具を用いてループを形成する工程の最初の段階を示す一部に断面部分を含む正面図である。図３において（ｂ）図は、同じく次の工程を示す一部に断面部分を含む正面図である。
【図４】図４は、同じく次の工程を示す一部に断面部分を含む正面図である。
【図５】図５は、同じく次の工程を示す一部に断面部分を含む正面図である。
【図６】図６は、同じく次の工程を示す管体部分をかしめた状態で示す固定金具の断面図である。
【図７】図７は、余分なワイヤの先端部分を切断して取り去った状態を示す締結吊下げ具の一部に断面部分を含む正面図である。
【図８】図８は、他の実施形態による固定金具を示す平面図である。
【図９】図９は、更なる他の実施形態による固定金具を示す平面図である。
【図１０】図１０は、本発明に係る吊下げ具の正面図である。
【図１１】図１１は、その使用状態を示す一部に断面部分を含む拡大正面図である。
【図１２】図１２は、本発明に係る吊下げ具を用い、ワイヤの先端部分を他の管体部分に挿通してループを形成した状態を示す平面図である。
【図１３】図１３は、他の管体部分から引き出したワイヤの適宜部位に、蛍光灯の天板をクランプで固定して当該蛍光灯を吊持した状態を示す正面図である。
【符号の説明】
１　　　　締結吊下げ具
２　　　　ワイヤ
２ａ　　　ワイヤにおける一方の先端部分
２ｂ　　　ワイヤの途中部分
２ｃ　　　ワイヤの端末部
２ｄ　　　ワイヤにおける他方の先端部分
３　　　　固定金具
３ａ　　　管体部分
３ｂ　　　管体部分
３ｃ　　　開孔
３ｄ　　　開孔
３ｅ　　　板面部分
４　　　　ループ
５　　　　クランプ
６　　　　蛍光灯の天板
１０　　　　吊下げ具
５０　　　　工具
６０　　　　連結部分
７０　　　　連結部分
【図１】
2004092869.tif 000003
【図２】
2004092869.tif 000004
【図３】
2004092869.tif 000005
【図４】
2004092869.tif 000006
【図５】
2004092869.tif 000007
【図６】
2004092869.tif 000008
【図７】
2004092869.tif 000009
【図８】
2004092869.tif 000010
【図９】
2004092869.tif 000011
【図１０】
2004092869.tif 000012
【図１１】
2004092869.tif 000013
【図１２】
2004092869.tif 000014
【図１３】
2004092869.tif 000015